(57)【特許請求の範囲】
【請求項１】
リズム音響信号を格納するメモリと、
リズム音響信号を出力するリズム音響信号発生出力部と、を有するリズムマシンと、
複数チャネルの中から、リズム音響信号と音響信号が入力される１つのチャネルを選択するチャネル選択スイッチと、
前記複数チャネルのうち対応するチャネルの、リズム音響信号の状態と音響信号の状態をそれぞれ規定する複数個のチャネルステータスと、
前記複数チャネルのリズム音響信号と前記複数チャネルの音響信号を録音するハードディスクと、を有するマルチトラックレコーダ部と、
基準クロックパルスを出力する基準クロックパルス発振器と、
前記基準クロックパルスに基づいて、前記チャネルステータス、前記ハードディスク、前記リズム音響信号発生出力部、前記メモリを同期制御することで、前記複数チャネルのリズム音響信号と前記複数チャネルの音響信号とを同期して前記ハードディスクに録音する演算処理部と、を有する演算処理装置と、
を具備することを特徴とするマルチトラックレコーダ。
【発明の詳細な説明】
【０００１】
【発明の属する技術分野】
この発明は、マルチトラックレコーダに関し、特に、リズムマシンを内蔵するマルチトラックレコーダに関する。
【０００２】
【従来の技術】
マルチトラックレコーダの従来例として、メトロノームを内蔵するマルチトラックレコーダが知られている。このメトロノームは演奏の録音に際して奏者のテンポの規制に必要とされるものである。これをマルチトラックレコーダに内蔵することにより、演奏の録音にメトロノームを必要とする場合にこれを別途に準備す必要をなくしてマルチトラックレコーダの使い勝手を好適なものにしている。
【０００３】
【発明が解決しようとする課題】
無伴奏曲は別として、通常の音楽の演奏にはリズム音或は伴奏音が必要とされる。マルチトラックレコーダに演奏を録音しようとする場合、伴奏音であるリズム音を発生するリズムマシンがこのマルチトラックレコーダに内蔵されていればリズム音を伴う音楽を演奏録音する場合に好都合である。
【０００４】
ここで、上述したメトロノームを内蔵するマルチトラックレコーダは、単に音楽のテンポに関する演習結果を録音するという限られた目的を達成する場合には有用なものではあるが、メトロノーム自体はテンポを刻んでこれを演奏者に聴取させて演奏のテンポの参考に供するに過ぎないものであり、発生する音響は単なるテンポを認識させる音響に過ぎず、音楽的な音響ではない。従って、メトロノームの発生する音をリズム音或は伴奏音として演奏に含めて音楽を構成する目的に使用する訳には行かない。
【０００５】
リズム音を必要としてこれを発生する場合、マルチトラックレコーダとは別体の単体のリズムマシンを購入してこれをマルチトラックレコーダに接続して使用することによりリズム音を伴う曲を演奏録音することができる。しかし、マルチトラックレコーダに複数の楽器の演奏を録音する場合、各楽器の奏者が各別のパートを各別に演奏して各別のトラックに録音して１曲の録音を終了するということも行われる。この場合、各楽器の奏者が特定の演奏スタジオにおいて共通のリズムマシンを使用して演奏録音するとは限らない。演奏スタジオを異にして各別に演奏録音する場合、共通のリズムマシンを持ち回りで使用せずに異なるものが使用される場合が多い。
【０００６】
相異なるリズムマシン相互間には必ず構造的な差異が存在し、当然、発生する音響およびリズムに差異が生ずる。従って、４個の楽器を各別の４個のリズムマシンを使用して各別の２チャネルづつにステレオ録音した場合、このマルチトラックレコーダの録音再生する音響は微妙な差異を示す４個のリズムマシンの発生する音響を含むこととなり、好適な演奏録音再生がなされたとはいい難いことになる。
【０００７】
この発明は、リズムマシンを内蔵することにより上述の問題を解消したマルチトラックレコーダを提供するものである。
【０００８】
【課題を解決するための手段】
この発明のマルチトラックレコーダは、マルチトラックレコーダ部と、リズムマシンと、演算処理装置と、チャネル選択スイッチと、を有する。マルチトラックレコーダ部は、チャネルステータスと、ハードディスクを有する。リズムマシンは、リズムマシン制御部と、メモリを有する。演算処理装置は、基準クロックパルス発振器と、演算処理部と、を有する。
【０００９】
メモリは、リズム音響信号を格納する。リズム音響信号発生出力部は、リズム音響信号を出力する。基準クロックパルス発振器は、基準クロックパルスを出力する。演算処理部は、基準クロックパルスに基づいて、チャネルステータス、ハードディスク、リズム音響信号発生出力部、メモリを同期制御することで、複数チャネルのリズム音響信号と複数チャネルの音響信号とを同期してハードディスクに録音する。
【００１０】
チャネルステータスは、複数個有り、対応するチャネルの、リズム音響信号の状態と音響信号の状態をそれぞれ既定する。ハードディスクは、複数チャネルのリズム音響信号と複数チャネルの音響信号を録音する。
【００１１】
【発明の実施の形態】
この発明の実施の形態を図を参照して説明する。
図１はこの発明のマルチトラックレコーダの全体構成を説明する図である。
図１において、１はマルチトラックレコーダ部であり、１１はチャネルステータス、１２はハードディスクを示す。ここで、チャネルステータスは、入力される音響信号を後で説明されるイコライザ１１２、フェーダその他の制御回路により制御調整し、録音、出力されるべき音響信号の状態を規定するところである。２はリズムマシンであり、２１はリズム音響信号発生出力部、２２はリズム音響信号を格納するメモリを示す。３は演算処理装置であり、３１は演算処理部、３２は基準クロックパルス発振器を示す。
【００１２】
演算処理装置３の演算処理部３１は、図示される通り、マルチトラックレコーダ部１のチャネルステータス１１および８トラックハードディスク１２に接続すると共に、リズムマシン２のリズム音響信号発生出力部２１およびメモリ２２に接続し、基準クロックパルス発振器３２から供給される基準クロックパルスに基づいてこれらの部位を統一制御する。即ち、マルチトラックレコーダ部１とリズムマシン２とを同期制御し、外部から入力した入力音響信号とリズムマシン２のメモリ２２から読み出し出力されるリズム音響信号を同期してマルチトラックレコーダ部１の８トラックハードディスク１２に録音する。この逆に、８トラックハードディスク１２に録音されている音響信号を外部に出力する。そして、リズムマシン２のメモリ２２に格納されているリズム音響信号を出力するに際して、種々のパターンで制御出力する。
【００１３】
マルチトラックレコーダに具備される図示されない入力押釦を押圧操作することにより、マルチトラックレコーダは使用状態となる。そして、図示されないリズムマシン選択部に接触することによりリズムマシンは使用状態とされる。
図２を参照してマルチトラックレコーダを具体的に説明する。
（１）  リズム音響付き演奏録音動作、即ち、リズム音響を伴奏とする音響を録音する動作について説明する。
【００１４】
先ず、スイッチを以下の通りに選択設定する。そして、リズムマシン２および８トラックのハードディスク１２の双方を動作状態に設定する。
入力選択スイッチ１３を操作してライン入力とするか、或はマイクロフォンを介して演奏音楽を入力するかを選択する。入力選択スイッチ１３を介してマイクロフォン或は入力ジャックから入力した入力音響信号は演算増幅器１４においてレベル調整され、Ａ／Ｄ変換器１５によりＡ／Ｄ変換され、録音選択スイッチ１６を介してチャネル選択スイッチ１７の可動接点に供給される。ここで、参照符号ＩＮＰＵＴ１を付与する入力端に音響信号Ｌを入力し、参照符号ＩＮＰＵＴ２を付与する入力端に音響信号Ｒを入力する。録音選択スイッチ１６は、マルチトラックレコーダにおいて、アナログ信号を取り扱うか、或はディジタル信号を取り扱うかを選択するスイッチである。
【００１５】
リズムマシン２の用途切り替えスイッチ２３を下向きに操作してリズム音響信号ＴＬ線２４Ｌおよびリズム音響信号ＴＲ線２４Ｒを選択し、この選択されたリズム音響信号Ｔ線２４を介してリズムマシン２の出力はチャネル選択スイッチ１７の可動接点に供給される。ここで、参照符号ＩＮＰＵＴ３を付与する入力端にリズム音響信号Ｌを入力し、参照符号ＩＮＰＵＴ４を付与する入力端にリズム音響信号Ｒを入力する。
【００１６】
チャネル選択スイッチ１７の固定接点は、ＩＮＰＵＴ１ないしＩＮＰＵＴ４の何れの固定接点も、チャネルステータス１１のｃｈ１ないしｃｈ８の各チャネルに対応して１個づつ合計８個具備してチャネルステータス１１の対応するチャネルに接続している。従って、ＩＮＰＵＴ１ないしＩＮＰＵＴ４の何れも、チャネルステータス１１のｃｈ１ないしｃｈ８の何れのチャネルにも選択接続することができる。なお、図２においては、煩雑であるところから全ての接続線を記入することをしていない。上述した通り、チャネルステータス１１は入力される音響信号をイコライザ１１２、フェーダその他の制御回路により制御調整して録音、出力されるべき音響信号の状態を規定するところである。
【００１７】
図２においては、チャネル選択スイッチ１７の可動接点を選択切り替えてＩＮＰＵＴ１をｃｈ１に接続し、ＩＮＰＵＴ２をｃｈ２に接続し、ＩＮＰＵＴ３をｃｈ３に接続し、ＩＮＰＵＴ４をｃｈ４に接続する。即ち、入力音響信号Ｌをｃｈ１に接続してここに入力し、入力音響信号Ｒをｃｈ２に接続してここに入力し、リズム音響信号Ｌをｃｈ３に接続してここに入力し、リズム音響信号Ｒをｃｈ４に接続してここに入力する。
【００１８】
チャネルステータス１１のチャネルｃｈ１ないしｃｈ８の録音再生切り替えスイッチ１１１を操作して音響信号入力端子側に切り替え設定する。切り替えスイッチ１１３もイコライザ１１２側に切り替え設定する。
ここで、チャネルステータス１１のチャネルｃｈ１に入力した入力音響信号Ｌは、録音再生切り替えスイッチ１１１、イコライザ１１２、フェーダ、切り替えスイッチ１１３を介して第１録音トラック線１１４に到達し、この録音トラック線１１４を経由してトラック選択スイッチ１８、録音選択スイッチ１６’、チャネル選択スイッチ１７’を介して８トラックのハードディスク１２の選択された何れかのトラックに録音されるに到る。
【００１９】
チャネルステータス１１のチャネルｃｈ２ないしｃｈ４に入力した入力音響信号も同様にしてハードディスク１２の選択された何れかのトラックに各別に録音される。
（２）  リズム音響を伴奏とする音響をそのまま出力する動作について説明する。
【００２０】
ハードディスク１２を非動作状態とし、先の（１）のリズム音響付き演奏録音動作状態を設定する。
ここで、チャネルステータス１１のチャネルｃｈ１ないしｃｈ４に入力した音響信号は、それぞれ、録音再生切り替えスイッチ１１１、イコライザ１１２、フェーダ、切り替えスイッチ１１３を介してＰＡＮに到達し、分岐して出力チャネルＬおよび出力チャネルＲに供給されて、出力チャネルＬにおいてリズム音響信号Ｌと入力音響信号Ｌの合成された合成音響信号Ｌが生成されると共に、出力チャネルＲにおいてリズム音響信号Ｒと入力音響信号Ｒの合成された合成音響信号Ｒが生成される。これら合成音響信号Ｌおよび合成音響信号Ｒは、それぞれ、ＤＡ変換器を介してアナログの合成音響信号に変換され、出力端Ｌおよび出力端Ｒを介して電気音響変換器に供給され、リズム音響を伴奏とするステレオ音響を出力する。
【００２１】
（３）  リズム音響を伴わずに入力音響のみを出力する動作について説明する。
リズムマシン２とハードディスク１２の双方を動作状態に設定せず、（２）の出力動作を設定して実施することができる。
（４）  リズム音響を伴わずに音響のみを録音する動作について説明する。
【００２２】
ハードディスク１２を動作状態に設定し、リズムマシン２を動作状態に設定せずに（１）の演奏録音動作を設定して実施することができる。
（５）  リズム音響を録音する動作について説明する。
リズムマシン２およびハードディスク１２の双方を動作状態に設定する。
ここで、リズムマシン２の用途切り替えスイッチ２３を下向きに操作してリズム音響信号ＴＬ線およびリズム音響信号ＴＲ線を選択し、この選択されたリズム音響信号Ｔ線を介してリズムマシン２の出力はチャネル選択スイッチ１７の可動接点に供給される。チャネル選択スイッチ１７の可動接点に供給されたリズムマシン２の出力は、以降、（１）のリズム音響付き演奏録音動作の場合と同様にしてハードディスク１２の選択されたトラックに左右各別に録音される。
【００２３】
（６）  リズム音響を録音せずにそのまま出力する動作について説明する。
先ず、リズムマシン２を動作状態に設定し、ハードディスク１２を非動作状態にする。
ここで、リズムマシン２の用途切り替えスイッチ２３を上向きに操作してリズム音響信号ＭＬラインおよびリズム音響信号ＭＲラインを選択し、この選択されたリズム音響信号Ｍラインを介してリズムマシン２の出力は出力チャネルＬおよび出力チャネルＲに供給される。出力チャネルＬおよび出力チャネルＲに供給されたリズムマシン２の出力は、それぞれ、ＤＡ変換器を介してアナログの音響信号に変換され、出力端Ｌおよび出力端Ｒを介して電気音響変換器に供給され、リズム音響を再生する。
【００２４】
（７）  ハードディスク１２に録音される音響信号を再生する動作の説明をする。
録音再生切り替えスイッチ１１１を操作して再生側に切り替え設定する。切り替えスイッチ１１３も再生側に切り替え設定する。ハードディスク１２を動作状態にする。
【００２５】
ここで、ハードディスク１２を再生状態に操作すると、再生される音響信号は第１トラック再生線１２１、録音再生切り替えスイッチ１１１、イコライザ１１２、フェーダ、切り替えスイッチ１１３を介してＰＡＮに到達し、分岐して出力チャネルＬおよび出力チャネルＲに供給され、これら再生音響信号Ｌおよび再生音響信号Ｒは、それぞれ、ＤＡ変換器を介してアナログの音響信号に変換され、出力端Ｌおよび出力端Ｒを介して電気音響変換器に供給され、ステレオ音響を出力する。
【００２６】
【発明の効果】
以上の通りであって、この発明によれば、マルチトラックレコーダにリズム音響信号を発生するリズムマシンを内蔵することにより、リアルな音楽を容易に録音再生することができる。
マルチトラックレコーダとリズムマシンの２台を各別に準備しておく場合と比較して、リズム音響を合成するに際して両者を接続して使用する煩わしさが解消される。
【００２７】
そして、入力音響信号とリズム音響信号との間の同期をほぼ完全にとることができ、両音響の間のタイミングのズレを極く小さくすることができる。
また、リズムマシンから発生出力されるリズム音響信号のみをマルチトラックレコーダの任意のトラックに録音することができる。
更に、演奏入力される入力音響信号とリズムマシンから出力されるリズム音響信号を各別に、マルチトラックレコーダの任意のトラックに、同時に録音することができる。
【００２８】
リズムマシンをその用途切り替えスイッチを介して選択切り替えることによりマルチトラックレコーダ部に接続してリズム音響信号を録音すると共に、出力チャネルに接続してマルチトラックレコーダのトラックを通さずに直接出力することができる。
【図面の簡単な説明】
【図１】実施例の概略を説明する図。
【図２】実施例の詳細を説明する図。
【図３】図２の続き。
【符号の説明】
１  マルチトラックレコーダ部
１１  チャネルステータス
１２  ８トラックハードディスク
２  リズムマシン
２１  リズム音響信号発生出力部
２２  メモリ
３  演算処理装置
３１  演算処理部
３２  基準クロックパルス発振器
【図１】
0004132423.tif 000002
【図２】
0004132423.tif 000003
【図３】
0004132423.tif 000004